(57)【特許請求の範囲】
【請求項１】
受光素子を含む回路素子と、
前記回路素子を封止した封止体と、
取付面に当接する第１ストッパー部及び前記取付面を越えて延長されるピンとを備える実装部を有すると共に前記取付面に対して位置がずれない下部側と、前記封止体を収容する収容部を有すると共に前記取付面に対して位置がずれる上部側とを有し、前記取付面に対して直立して取り付けられるホルダーと、
前記封止体から前記取付面を越えて延長され前記下部側に接近するように屈曲されると共に、前記取付面に当接するように設けられる第２ストッパー部を有するリードピンと、
を有し、前記ホルダーの重力による傾きを防止することを特徴とする受光モジュール。
【請求項２】
前記ホルダーの形状は鳩首状であることを特徴とする請求項１記載の受光モジュール。
【請求項３】
受光素子を含む回路素子と、
前記回路素子を封止した封止体と、
重力の方向とほぼ平行な取付面と、
前記取付面に当接する第１ストッパー部及び前記取付面を越えて延長されるピンとを備える実装部を有すると共に前記取付面に対して位置がずれない下部側と、前記封止体を収容する収容部を有する上部側とを有し、前記取付面に対して直立して取り付けられるホルダーと、
前記封止体から前記取付面を越えて延長され前記取付面に向かって屈曲されると共に、前記取付面に当接するように設けられる第２ストッパー部を有するリードピンと、
を有し、前記ホルダーの重力による傾きを防止することを特徴とする受光モジュール。
【請求項４】
+
前記第２ストッパー部は、前記リードピンを折り曲げて形成されることを特徴とする請求項１〜３のいずれかに記載の受光モジュール。
【発明の詳細な説明】
【０００１】
【発明の属する技術分野】
本発明は、テレビ受像機などのリモコン信号を受信する受光モジュールに係り、特にその実装構造に関する。
【０００２】
【従来の技術】
従来テレビ受像機などを遠隔制御するために、赤外線などの光を使用したリモコンが用いられている。図５は、光を利用したリモコン装置の受信部側のシステム構成を示す図である。
【０００３】
図５において、リモコン装置の送信部から所定の周波数で変調された光Ｌｃが検出用のフォトダイオード５１に入射すると、入射光に応じてその抵抗値が変化する。これによる電流変化を電流電圧変換器５２で電圧変化に変換し、増幅器５３，結合コンデンサ５４，リミッタ５５，バンドパスフィルタ５６，検波器５７，コンパレータ５８を順次介して、出力トランジスタ５９をオンオフする。この出力トランジスタ５９のオンオフ状態は、送信側で操作信号により変調された信号を復調したものであり、電源電圧Ｖｃｃ、抵抗Ｒを介して出力端子Ｒｏｕｔから図示しないマイコンなどに操作信号として出力され、この信号に基づいた処理が行われる。
【０００４】
図６は、リモコン装置の受信部側をモジュール構成としたものである。この図６において、図５に示される構成要素をＩＣ化したＩＣ６１に、集光用のレンズ６２と、電源Ｖｃｃ用リードピン６３−１、出力端子Ｖｏｕｔ用リードピン６３−２、接地Ｇｎｄ用リードピン６３−３を設け、受光用ＩＣを構成する。
【０００５】
ホルダー６４は、受光用ＩＣを収容し、ＩＣ６１をシールドするとともに、基板６７に取り付けられる。
【０００６】
このために、ホルダー６４の側板６５、６６は、基板６７に当接する面に平坦なストッパー部６５ａ、６６ａと、基板６７を越えて延長され先端部が三角形状に曲げられているグランドピン６５ｂ、６６ｂが形成されている。一方、基板６７には、リードピン６３−１〜６３−３を挿通する孔と、グランドピン６５ｂ、６６ｂを挿通する孔が、設けられている。
【０００７】
そして、ホルダー６４に受光用ＩＣを収容した受光モジュール６０を、そのリードピン６３−１〜６３−３及びグランドピン６５ｂ、６６ｂをそれぞれ対応する孔に挿通する。これにより、受光モジュール６０は、ホルダー６４のストッパー部６５ａ、６６ａと、先端部が三角形状に曲げられているグランドピン６５ｂ、６６ｂとにより、グランドピン６５ｂ、６６ｂとその挿通孔とに寸法上多少のがたつきがあっても、水平状態の基板６７上に安定して直立状態に取り付けられる。その後、リードピン６３−１〜６３−３及びグランドピン６５ｂ、６６ｂがそれぞれ基板６７の裏面側で、所要の配線に半田付けされる。
【０００８】
【発明が解決しようとする課題】
ところで、図７に示すように、テレビ受像機７１の基板６７の先端部は組立を容易にするために受像機の前面部７３から一定距離ｌ１だけ離す必要がある。一方、テレビ受像機７１に受光モジュール６０を設ける場合に、受光モジュール６０の受光部（レンズ６２）は受光し易いように出来るだけ受像機の前面部に設けられた受光窓７３に近づけたい（距離ｌ２）という要望がある。
【０００９】
このため、受光モジュール６０の形状を、基板６７上に直立状態に取り付けられる直方体状から、図７に破線で示す受光モジュール６０′のように、その下部の基板への取付部は従前のままに形成し、その上部側である集光用レンズやＩＣが収容されている部分が、テレビ受像機７１の前面部７３に近づくような、例えば鳩首状の形状にすることが考えられる。
【００１０】
しかしながら、図７に破線で示す受光モジュール６０′のように、鳩首状に形成する場合には、その重量バランスが崩れることから、図６のようなホルダーのストッパー部とグランドピンとによる実装構造では、水平な基板への実装時に安定して直立状態に取り付けることが困難であり、縦方向の位置ずれが発生する可能性がある。この位置ずれにより、受光モジュールの指向性のずれやばらつきを生じることになる。
【００１１】
また、グランドピンとその挿通孔との寸法の余裕を無くすとか、受光モジュール６０′を押さえた状態で作業するなども考えられるが、いずれも基板実装の際の作業性が悪いという問題がある。
【００１２】
このような問題は、垂直に配置される基板に受光モジュールを直立状態に実装しようとする場合にも同様であり、やはり縦方向の位置ずれが発生する可能性がある。
【００１３】
そこで、本発明は、受光用ＩＣをホルダーに収容し、このホルダーが基板などの取り付け面に対して直立して取り付けられるような形状に形成されている受光モジュールにおいて、基板などの取り付け面への取付時に縦方向の位置ずれをなくし、且つ実装時の作業効率の悪化を防止することが出来る実装構造を有する、受光モジュールを提供することを目的とする。
【００１４】
【課題を解決するための手段】
本明細書中に開示されている受光モジュールは、受光素子を含む回路素子を封止した封止体をホルダーに収容した受光モジュールであって、前記ホルダーの実装部は、取付面に当接するストッパー部と、前記取付面を越えて延長されるピンとを有し、前記封止体からのリードピンは、前記取付面を越えて延長されているとともに、前記取付面に当接するように中間部にストッパー部が設けられていることを特徴とする。
【００１５】
本明細書中に開示されている受光モジュールによれば、前記封止体を含む受光用ＩＣをホルダーに収容し、このホルダーが基板などの取り付け面に対して直立して取り付けられるような形状に形成されている受光モジュールにおいて、ホルダーの実装部でのストッパー部と取付面を越えて延長されるピンと、受光用ＩＣのリードピンの取付面に当接する曲げ部との、ダブルストッパー構造としていることにより、基板などの取り付け面への取付時に縦方向の位置ずれを小さくすることが出来る。
【００１６】
また、受光用ＩＣのリードピンは、所定の位置で曲げるだけで良いから、その製造において金型の変更を行うことなく対応することが出来る。
【００１７】
また、ホルダーのピン及び受光用ＩＣのリードピンを挿通する基板などの取付面の孔は、ゆとりを持って形成することが出来るから、実装時の作業効率の悪化を招くこともない。
【００１８】
【発明の実施の形態】
以下、図面を参照して、本発明の実施の形態にかかる受光モジュールについて説明する。
【００１９】
図１は、本発明の第１の実施の形態に係る受光モジュールの構成を示す図であり、同図（ａ）は正面図、同図（ｂ）は側面図、同図（ｃ）は下面図を示している。また、図２は、第１の実施の形態に係る受光モジュールを、水平状態に配置される基板に、直立するように実装した状態を示す図である。
【００２０】
図１において、封止体１１は図５に示されるリモコン装置の受信部側の構成要素の全てまたは一部をＩＣ化等により封止したものであり、これに集光用のレンズ１２と、電源Ｖｃｃ用リードピン１３−１、出力端子Ｖｏｕｔ用リードピン１３−２、接地Ｇｎｄ用リードピン１３−３が設けられている。以下、これらの構成を一括して受光用ＩＣと称する。なお、封止体１１は、フォトダイオード５１を除く回路素子全てを１チップ化したものを封止しても良いし、フォトダイオード５１に代えてフォトトランジスタなどで構成し図５の全ての回路素子をＩＣ化しても良い。また、複数のＩＣチップで図５の回路を構成してモジュール化したものを封止するようにしても良い。さらに、図５の回路素子の一部のみを封止するようにしても良い。
【００２１】
本実施の形態においては、受光モジュール１０の形状を、その下部の基板への取付部に対して、その上部側である一部に集光用レンズ１２や封止体１１が収容されている部分が一方側にずれるように、形成する。
【００２２】
このため、ホルダー１４は、その上部側に受光用ＩＣを収容し、封止体１１をシールドする。このホルダー１４の側板１５，１６は、上部側の受光用ＩＣ収容部と下部側の実装部とが、取付面である基板に対して位置がずれるような例えば鳩首状の形状に形成されている。
【００２３】
そして、この側板１５、１６は、基板に当接する面に平坦なストッパー部１５ａ、１６ａと、基板を越えて延長され先端部が三角形状（くの字状）に曲げられているグランドピン１５ｂ、１６ｂが形成されている。なお、１５ｂ、１６ｂは接地用のグランドピンでなく、単なるピンでも良い。
【００２４】
一方、受光用ＩＣの各リードピン１３−１〜１３−３は、封止体１１から引き出された後、側板１５，１６の形状に合わせて、その側板１５，１６の下部側に接近するように屈曲部１３−１ａ〜１３−３ａが設けられている。さらに、各リードピン１３−１〜１３−３には、位置決め用の折り曲げ部１３−１ｂ〜１３−３ｂが、各リードピンの位置を側板１５，１６のストッパー部１５ａ、１６ａと面一にするために、三角形状に形成されている。
【００２５】
このように、ホルダー１４は、その受光用ＩＣ収容部と実装部とが、取付面である基板に対して位置がずれるような形状、例えば鳩首状に形成されており、ホルダー１４の実装部は、基板に当接する平坦なストッパー部１５ａ，１６ａと、基板を越えて延長されるグランドピン１５ｂ、１６ｂとを有している。また、受光用ＩＣのリードピン１３−１〜１３−３は、基板の当接面を越えて延長されているとともに、基板に当接するように中間部に位置決め用の折り曲げ部１３−１ｂ〜１３−３ｂを有している。
【００２６】
次に、図２も参照して、第１の実施の形態に係る受光モジュール１０の基板１７への装着について説明する。
【００２７】
基板１７は、テレビ受像機などの電気製品の内部に設けられるが、受光モジュール１０が外部からの操作用の光を受信し易いように、当該電気装置の前面部近くに配置される。この基板１７には、その端部近辺に受光モジュール１０を設置するために、ホルダー１４のグランドピン１５ｂ、１６ｂ及び受光用ＩＣのリードピン１３−１〜１３−３を挿通するための孔が設けられている。これらの孔は、各ピンを挿入しやすくするために各ピンの寸法よりもやや大きくされている。
また、基板の一面には挿通された各グランドピン１５ｂ、１６ｂ及びリードピン１３−１〜１３−３と電気的に接続するための配線が施されている。
【００２８】
さて、受光モジュール１０の各グランドピン１５ｂ、１６ｂ及びリードピン１３−１〜１３−３を、基板１７の孔に挿通し、基板１７の上側の表面に側板１５、１６のストッパー部１５ａ、１６ａが当接するまで挿入する。このストッパー部１５ａ、１６ａが基板１７の表面に当接した状態では、挿通されたグランドピン１５ｂ、１６ｂの三角形状に曲げられている先端部が基板の裏面に当接している。これにより、グランドピン１５ｂ、１６ｂとストッパー部１５ａ、１６ａとで、受光モジュール１０が基板１７に一応取り付けられたことになる。
【００２９】
さらに、この状態において、基板１７の孔に挿通されたリードピン１３−１〜１３−３は、中間部に設けられた折り曲げ部１３−１ｂ〜１３−３の下端部側が基板１７の表面部に当接し、位置決めされる。
【００３０】
そして、挿通された各グランドピン１５ｂ、１６ｂ及びリードピン１３−１〜１３−３は、基板１７の裏面側で、それぞれ所要配線と電気的に接続される。
【００３１】
このように、基板１７表面への側板１５、１６のストッパー部１５ａ、１６ａの当接面と、同じくリードピン１３−１〜１３−３の折り曲げ部１３−１ｂ〜１３−３ｂの当接面とが、同一の実装面を形成し、ダブルストッパーとして作用する。
【００３２】
したがって、受光用ＩＣをホルダー１４に収容し、このホルダー１４が受光用ＩＣ収容部と実装部とが基板１７の実装面に対して位置がずれるような形状に形成されている受光モジュールにおいて、その重量バランスが崩れていても、基板１７への取付時に縦方向の位置ずれを小さくすることが出来るから、受光モジュールの指向性のずれや、ばらつきを低減することが出来る。
【００３３】
また、受光用ＩＣのリードピン１３−１〜１３−３の屈曲部１３−１ａ〜１３−３ａ、折り曲げ部１３−１ｂ〜１３−３ｂ及び側板１５、１６のグランドピン１５ｂ、１６ｂは、所定の位置で曲げるだけで良いから、その製造において金型の変更を必要としない。
【００３４】
また、ホルダー１４のグランドピン１５ｂ、１６ｂ及び受光用ＩＣのリードピン１３−１〜１３−３を挿通する基板１７の孔は、ゆとりを持って形成することが出来るから、実装時の作業効率の悪化を招くこともない。
【００３５】
図３は、受光用ＩＣのリードピン１３に設ける折り曲げ部として、取り得る形状を例示する図である。
【００３６】
図３（ａ）は、図１に示されるような３角形状の折り曲げ部である。同図（ｂ）は鋸歯状の折り曲げ部であり、さらに同図（ｃ）は半円状の折り曲げ部である。１７は例示として示した基板である。なお、折り曲げ部としては、これらの例示された形状に限られず、リードピンを折り曲げて形成するものであれば良い。
【００３７】
図４は、本発明の第２の実施の形態に係る受光モジュールを、垂直状態に配置される基板に、直立するように水平に装着した状態を示す図であり、同図（ａ）は正面図、同図（ｂ）は側面図を示している。
【００３８】
図４において、受光モジュール４０は、垂直に配置される基板４７に対して水平に装着されるから、その右側の集光用レンズ４２や封止体４１が収容されている部分の重量により、回転モーメントを受けることになる。なお、封止体４１は、図１の封止体１１と同様に構成されている。
【００３９】
このため、ホルダー４４の側板４５，４６には、取り付け面である基板４７に対して、中心位置より上方側に基板に当接する平坦なストッパー部４５ａ、４６ａが設けられており、また基板４７を越えて延長され先端部が三角形状に曲げられているグランドピン４５ｂ、４６ｂが設けられている。また、その中心位置より下方側に基板４７の表面に当接する当接部４５ｃ、４６ｃが形成されている。
【００４０】
一方、封止体４１はリモコン装置の受信部側の構成要素をＩＣ化したものであり、これに集光用のレンズ４２と、電源用リードピン４３−１、出力端子用リードピン４３−２、接地用リードピン４３−３を設け、受光用ＩＣを構成する。この各リードピン４３−１〜４３−３は、封止体４１から下方向に引き出された後、側板４５，４６に沿うように屈曲部１３−１ａ〜１３−３ａが設けられている。さらに、各リードピン４３−１〜４３−３には、位置決め用の折り曲げ部４３−１ｂ〜４３−３ｂが、各リードピンの位置を側板４５，４６のストッパー部４５ａ、４６ａと面一にするために、形成されている。
【００４１】
このように、ホルダー４４の受光用ＩＣ収容部と実装部とが形成されており、ホルダー４４の実装部は、基板４７に当接するストッパー部４５ａ、４６ａと、基板４７を越えて延長されるグランドピン４５ｂ、４６ｂとを有している。また、受光用ＩＣのリードピン４３−１〜４３−３は、基板の当接面を越えて延長されているとともに、基板に当接するように中間部に位置決め用の折り曲げ部４３−１ｂ〜４３−３ｂを有している。
【００４２】
この基板４７には、受光モジュール４０を取り付けるために、ホルダー４４のグランドピン４５ｂ、４６ｂ及び受光用ＩＣのリードピン４３−１〜４３−３を挿通するための孔が設けられている。これらの孔は、各ピンを挿入しやすくするために各ピンの寸法よりもやや大きくされている。また、基板の一面には挿通された各グランドピン４５ｂ、４６ｂ及びリードピン４３−１〜４３−３と電気的に接続するための配線が施されている。
【００４３】
さて、受光モジュール４０の各グランドピン４５ｂ、４６ｂ及びリードピン４３−１〜４３−３を、基板４７の孔に挿通し、基板４７の表面に側板４５、４６のストッパー部４５ａ、４６ａが当接するまで挿入する。このストッパー部４５ａ、４６ａが基板４７の表面に当接した状態では、挿通されたグランドピン４５ｂ、４６ｂの三角形状に曲げられている先端部が基板の裏面に当接している。また、側板の下部側に形成されている当接部４５ｃ、４６ｃが基板４７の表面に当接する。これにより、グランドピン４５ｂ、４６ｂとストッパー部４５ａ、４６ａとで、受光モジュール４０が基板４７に一応取り付けられたことになる。
【００４４】
さらに、この状態において、基板４７の孔に挿通されたリードピン４３−１〜４３−３は、中間部に設けられた折り曲げ部４３−１ｂ〜４３−３の左端部側が基板４７の表面部に当接し、位置決めされる。
【００４５】
そして、挿通された各グランドピン４５ｂ、４６ｂ及びリードピン４３−１〜４３−３は、基板４７の裏面側で、それぞれの配線と電気的に接続される。
【００４６】
このように基板４７表面への側板４５、４６のストッパー部４５ａ、４６ａの当接面と、基板４７の表面への当接部４５ｃ、４６ｃと、同じくリードピン４３−１〜４３−３の折り曲げ部４３−１ｂ〜４３−３ｂの当接面とが、同一の実装面を形成し、それぞれストッパーとして作用する。
【００４７】
したがって、受光用ＩＣをホルダー４４に収容し、このホルダー４４が受光用ＩＣ収容部と実装部とが垂直に設けられた基板４７の実装面に対して水平方向に取り付けられる形状に形成されている受光モジュールにおいて、水平取付による回転モーメントが作用しても、各ストッパーの働きにより基板４７への取付時に縦方向の位置ずれを小さくすることが出来るから、受光モジュールの指向性のずれや、ばらつきを低減することが出来る。
【００４８】
また、受光用ＩＣのリードピン４３−１〜４３−３の屈曲部４３−１ａ〜４３−３ａ、折り曲げ部４３−１ｂ〜４３−３ｂ及び側板４５、４６のグランドピン４５ｂ、４６ｂは、所定の位置で曲げるだけで良いから、その製造において金型の変更を必要としない。なお、各実施の形態において、各ピンに折り曲げ部を設けていたが、例えば外側のピンのみに折り曲げ部を設けるようにしても良いし、折り曲げる代わりに、突出部を設けてストッパーとして使用するようにしても良い。
【００４９】
また、ホルダー４４のグランドピン４５ｂ、４６ｂ及び受光用ＩＣのリードピン４３−１〜４３−３を挿通する基板４７の孔は、ゆとりを持って形成することが出来るから、実装時の作業効率の悪化を招くこともない。
【００５０】
【発明の効果】
本明細書中に開示されている受光モジュールによれば、受光用ＩＣをホルダーに収容し、このホルダーが基板などの取り付け面に対して直立して取り付けられるような形状に形成されている受光モジュールにおいて、ホルダーの実装部でのストッパー部と取付面を越えて延長されるピンと、受光用ＩＣのリードピンの取付面に当接する曲げ部との、ダブルストッパー構造としていることにより、基板などの取り付け面への取付時に縦方向の位置ずれを小さくし、受光モジュールの指向性のずれや、ばらつきを低減することが出来る。
【００５１】
また、受光用ＩＣのリードピンは、所定の位置で曲げるだけで良いから、その製造において金型の変更を行わないでも対応することが出来る。
【００５２】
また、ホルダーのピン及び受光用ＩＣのリードピンを挿通する基板などの取付面の孔は、ゆとりを持って形成することが出来るから、実装時の作業効率の悪化を招くこともない。
【図面の簡単な説明】
【図１】本発明の第１の実施の形態に係る受光モジュールの構成を示す図。
【図２】本発明の第１の実施の形態に係る受光モジュールを基板に装着した状態を示す図。
【図３】本発明の第１の実施の形態に係るリードピンの折り曲げ部の例。
【図４】本発明の第２の実施の形態に係る受光モジュールの構成を示す図。
【図５】光を利用したリモコン装置の受信部側のシステム構成を示す図。
【図６】従来の受光モジュールの構成を示す図。
【図７】テレビ受像機への受光モジュールの配置例を示す図。
【符号の説明】
１０、４０  受光モジュール
１１、４１  封止体
１２、４２  集光用レンズ
１３ー１〜１３−３、４３ー１〜４３−３リードピン
１３ー１ａ〜１３−３ａ、４３ー１ａ〜４３−３ａ  屈曲部
１３ー１ｂ〜１３−３ｂ、４３ー１ｂ〜４３−３ｂ  折り曲げ部
１４、４４  ホルダー
１５，１６、４５，４６  側板
１５ａ、１６ａ、４５ａ、４６ａ  ストッパー部
１５ｂ、１６ｂ、４５ｂ、４６ｂ  グランドピン
１７、４７  基板
【図１】
0004557392.tif 000002
【図２】
0004557392.tif 000003
【図３】
0004557392.tif 000004
【図４】
0004557392.tif 000005
【図５】
0004557392.tif 000006
【図６】
0004557392.tif 000007
【図７】
0004557392.tif 000008